(57)【要約】【課題】レンズ鏡筒内にフレキシブルプリント基板を配置するレンズ鏡筒において、撮影に不必要な光の侵入を低減させることを可能とするレンズ鏡筒を提供する。【解決手段】レンズ鏡筒において、レンズ鏡筒内に配置されたフレキシブルプリント基板が通過するように切り欠かれた切欠部１３Ｂｃを有する、光軸方向に移動する絞り部材１３Ｂと、切欠部１３Ｂｃにおいて漏光する光を遮光するための、当該切欠部１３Ｂｃに設けられた変形可能な遮光シート２２と、を具備する。【選択図】図１０
2005004227.tif 000002
【特許請求の範囲】
【請求項１】
レンズ鏡筒において、
上記レンズ鏡筒内に配置されたフレキシブルプリント基板と、
上記フレキシブルプリント基板が通過するように切り欠かれた切欠部を有する、光軸方向に移動する移動部材と、
上記切欠部において漏光する光を遮光するための、上記切欠部に設けられた変形可能な遮光シートと、
を具備したことを特徴とするレンズ鏡筒。
【請求項２】
上記移動部材は絞り部材であることを特徴とする請求項１に記載のレンズ鏡筒。
【請求項３】
上記遮光シートは複数のスリットを有していることを特徴とする請求項１または２に記載のレンズ鏡筒。
【発明の詳細な説明】
【技術分野】
【０００１】
この発明は、ズームレンズ鏡筒、詳しくは写真撮影を行うカメラに装着され、変倍可能な撮影光学系により構成されるズームレンズ鏡筒に関するものである。
【背景技術】
【０００２】
従来、変倍可能な撮影光学系により構成されるズームレンズ鏡筒において、例えば、レンズ鏡筒内に配設された各種構成部材に対して電源等を供給し、あるいは制御信号等を伝達するための電気的な接続手段としてフレキシブルプリント基板を採用した例が知られている。
【０００３】
このようなレンズ鏡筒内に配設されたフレキシブルプリント基板は、そのフレキシブルに変位するという特性ゆえに配置位置によっては撮影光束内に侵入してしまう虞があるため、従来、かかる不具合を防止するために種々の移動規制部材を施した技術が知られていた。
【０００４】
一方で、レンズ鏡筒の大型化は避けるべき衆目の課題であり、上述の如く種々の移動規制部材および種々のレンズ鏡筒内構成部材を配設したレンズ鏡筒内において、例えば、フレキシブルプリント基板を光軸方向に沿って設ける際にあっては、当該移動規制部材および当該レンズ鏡筒内構成部材との配置関係を考慮してフレキシブルプリント基板の配置位置および当該レンズ鏡筒内構成部材の形態を決めなければならず、設計上、苦慮することが多かった。
【発明の開示】
【発明が解決しようとする課題】
【０００５】
このような状況下、レンズ鏡筒内においてフレキシブルプリント基板の移動に応じて形成された構成部材、すなわち、フレキシブルプリント基板の移動に対する通り道を形成した部材と当該フレキシブルプリント基板との間に形成された隙間からは撮影に不必要な光が侵入してしまう虞があった。
【０００６】
本発明は係る事情に鑑みてなされたものであり、レンズ鏡筒内にフレキシブルプリント基板を配置するレンズ鏡筒において、撮影に不必要な光の侵入を低減させることを可能とするレンズ鏡筒を提供することを目的とする。
【課題を解決するための手段】
【０００７】
本発明の第１のレンズ鏡筒は、レンズ鏡筒において、上記レンズ鏡筒内に配置されたフレキシブルプリント基板と、上記フレキシブルプリント基板が通過するように切り欠かれた切欠部を有する、光軸方向に移動する移動部材と、上記切欠部において漏光する光を遮光するための、上記切欠部に設けられた変形可能な遮光シートと、を具備したことを特徴とする。
【０００８】
本発明の第２のレンズ鏡筒は、上記第１のレンズ鏡筒において、上記移動部材は絞り部材であることを特徴とする。
【０００９】
本発明の第３のレンズ鏡筒は、上記第１または第２のレンズ鏡筒において、上記遮光シートは複数のスリットを有していることを特徴とする。
【発明の効果】
【００１０】
本発明によれば、レンズ鏡筒内にフレキシブルプリント基板を配置するレンズ鏡筒において、撮影に不必要な光の侵入を低減させることを可能とするレンズ鏡筒を提供することができる。
【発明を実施するための最良の形態】
【００１１】
以下、図示の実施の形態によって本発明を説明する。
【００１２】
図１、図２、図３、図４は、本発明の第１の実施形態を示すズームレンズ鏡筒の縦断面図であって、図１、図４は可動レンズ群を最も短焦点（広角：ｗｉｄｅ）側に移動させた最大広角状態を、図２は可動レンズ群を最も長焦点（望遠：ｔｅｌｅ）側に移動させた最大望遠状態をそれぞれ示している。また、図３はズームレンズ鏡筒がカメラ本体内に収納される際の沈胴状態を示している。なお、図１、図３に対して図２と図４は、その縦断面の角度を異ならせて描いてある。本実施形態においては、二つのズームレンズ群によって構成されたズームレンズ鏡筒を示すものである。
【００１３】
本実施形態のズームレンズ鏡筒は、カメラ本体（図示せず）の前面側に固設されるようになっており、このカメラ本体内には、ズームレンズ鏡筒の後方の光軸線上に被写体像を露光する感光フイルムが配置されるようになっている。そして、同フイルムの表面（以下、フイルム面又は撮像面という）Ｐは、上記ズームレンズ鏡筒の光軸線と直交するように配置されている。
【００１４】
上記ズームレンズ鏡筒は、最もフイルム面側（カメラ本体寄り）に配置され、焦点距離に応じて同鏡筒が装着されるカメラ本体に対して光軸方向に移動し、フイルム面との位置を変更する複数枚の撮影レンズからなる第１のズームレンズ群、及び、この第１のズームレンズ群を支持する第１のレンズ保持枠７と、上記第１のズームレンズ群よりも被写体側に配置され、カメラ本体に対して光軸方向に移動する複数枚の撮影レンズからなる第２のズームレンズ群、及び、この第２のズームレンズ群を支持するレンズ群保持手段である第２のレンズ保持枠１等によって構成されている。
【００１５】
上記ズームレンズ鏡筒の最外周側には、円筒形状の回転枠１２が回動自在に設けられており、この回転枠１２の内周側には、この回転枠１２と略同形状の複数の枠部材、即ち固定枠１１、直進ガイド枠１０、第２のレンズ保持枠１、カム環９が順に嵌合されて、上記ズームレンズ鏡筒を構成している。
【００１６】
上記カム環９の後端寄りには、カムフォロワ部９ａが外周側に向けて突設されており、カムフォロワ部９ａは、上記固定枠１１のカム溝孔１１ａを貫通し、その先端が上記回転枠１２の内周面に設けられた直進溝１２ａに嵌合している。また、上記カムフォロワ部９ａと隣接して設けられたスラスト位置決め部９ｂは、上記直進ガイド枠１０の最後端部の内周面側に設けられた周溝１０ｂに嵌合している。そして、上記直進ガイド枠１０の外周側の後端部寄りには、カムフォロワ部１０ａが突設されていて、上記固定枠１１の内周面側に設けられた直進溝１１ａに嵌合している。
【００１７】
また、上記第２のレンズ保持枠１の後端側の外周面上には、カムフォロワ部１ｂが突設されており、このカムフォロワ部１ｂは直進ガイド枠１０の直進溝１０ｃに嵌合している。  
さらに、上記第２のレンズ保持枠１の最後端側の内周面には、カムフォロワ部材１ａが略等間隔に三つ配設されていて（図１では一つのみ図示されている）、各カムフォロワ部材１ａは、それぞれ上記カム環９の外周側に設けられたカム溝９ｃに嵌合している。これにより上記第２のレンズ保持枠１は、上記回転枠１２及びカム環９の回転駆動に連動して光軸方向に進退駆動されるようになっている。
【００１８】
一方、上記第２のレンズ保持枠１には、被写体側の前端部に内向フランジからなる支持部１ｃが設けられており、同第２のレンズ保持枠１の内部に一体的に配設されるシャッタ機構は、上記支持部１ｃに支持されている。上記シャッタ機構は、上記第２のレンズ保持枠１の上記支持部１ｃの内面側において、ズームレンズ鏡筒の後端側に向けて設けられたシャッタ前蓋５と、このシャッタ前蓋５に固着された軸部材からなるシャッタ吊軸３と、このシャッタ吊軸３の自由端部に固着されたシャッタ保持部材６と、このシャッタ保持部材６に支持されたシャッタ部材６ａ等によって構成されている。
【００１９】
上記シャッタ吊軸３には、第２のズームレンズ群を直接保持する第２レンズ群フォーカス枠２が光軸方向に摺動可能に支持されており、同フォーカス枠２とシャッタ前蓋５との間には、伸長性のコイルバネ等の付勢部材４が上記シャッタ吊軸３に巻回されて介挿されている。なお、この付勢部材４は、上記フォーカス枠２とフォーカス枠駆動手段（図示せず）との間のガタつき等を除去する役目をしているものである。
【００２０】
また、上記第１のレンズ保持枠７は、上記第２のレンズ保持枠１によって光軸方向に進退自在に支持されている。即ち、図２、図４に示すように上記第１のレンズ保持枠７の外周面側には、カムフォロワ部７ａ，７ｂが突設されており、上記カム環９の内周面上に設けられたカム溝９ｄ，９ｅにそれぞれ嵌合している。これにより上記第１のレンズ保持枠７は、変倍動作時における回転枠１２及びカム環９の回転に伴って光軸方向に直進駆動されるようになっている。
【００２１】
また、上記第１のレンズ保持枠７には、図２に示すように第１レンズ群吊軸８が前面側（被写体側）に向けて突出するように固着されており、同吊軸８は上記シャッタ保持部材６に設けられたガイド孔６ｂに摺動自在に挿通している。これにより、第１のレンズ保持枠７は上記第２のレンズ保持枠１に軸支されることになる。
【００２２】
なお、上記第１のレンズ保持枠７に設けられたカムフォロワ部７ａ，７ｂは、ズームレンズ鏡筒のズーミング可能領域内の途中の焦点距離にあるときにカム環９の内周面上に設けられた二種類のカムが、相互に乗り換えることができるように構成されている。これにより上記カムフォロワ７ａ，７ｂは、上記第１のレンズ保持枠７の光軸方向における位置決めをする役目をしている。
【００２３】
即ち、一方のカムフォロワ部７ａは、最大広角状態から中間焦点領域にあるスタンダード状態の、また他方のカムフォロワ部７ｂは、スタンダード状態から最大望遠状態の間の焦点領域の、上記第１のレンズ保持枠７の光軸方向におけるそれぞれの所定の位置を規定している。これは、上記カム環９の光軸方向における長さを必要最小限に抑えるための構成であって、この構成に加えて、ズームレンズ鏡筒をカメラ本体内に収納し沈胴状態とする沈胴動作（後述する）を行わしめることで、ズームレンズ鏡筒の光軸方向における寸法を可能な限り短小化し、よってカメラ自体を小型化すると共に、不使用時（非撮影時）においては、さらにカメラを小型化するようにしている。
【００２４】
また、上記第２のレンズ保持枠１の支持部１ｃの内面には、固定部材１ｄが設けられており、この固定部材１ｄには、ガイド軸１８の一端部が植設されている。同ガイド軸１８の他端部は、上記第１のレンズ保持枠７の支持部７ｄ（図４、図５参照）内に挿通されていて、上記ガイド軸１８には、伸長性のコイルバネ等からなる付勢手段であるレンズ付勢バネ１７が巻回されている。つまり、上記レンズ付勢バネ１７を上記第２のレンズ保持枠１と第１のレンズ保持枠７の間に介挿することによって、同レンズ付勢バネ１７の付勢力を利用して、上記第１、第２のレンズ保持枠７，１の間隔を所定の間隔となるように保持していると共に、上記第１のレンズ保持枠７の光軸方向におけるガタつき等を除去している。
【００２５】
このように構成された上記ズームレンズ鏡筒においては、カメラ本体内に配設されたレンズ駆動用モータ（図示せず）の回転駆動力がズーム駆動力伝達部材（図示せず）を介して回転枠１２を回転駆動させることにより、上記第１、第２のズームレンズ群をそれぞれ支持する第１、第２のレンズ保持枠７，１を、光軸方向に進退駆動して変倍動作が行われるようになっている。
【００２６】
ここで、上記ズームレンズ鏡筒による変倍動作を簡単に説明すると、以下の通りとなる。  
まず、カメラ本体内に配設されたレンズ駆動用モータ（図示せず）を回転駆動させる。これにより、同モータの回転駆動力はズーム駆動力伝達部材（図示せず）を介して回転枠１２を回転駆動させる。すると、同回転枠１２の回転駆動力は、上記カム環９のカムフォロワ部９ａを介してカム環９に伝達される。これにより、同カム環９は、固定枠１１に対して同固定枠１１のカム溝孔１１ａのカム形状に沿って光軸方向に進退駆動する。これと共に、上記直進ガイド枠１０は、上記固定枠１１によって直進ガイドされた状態で、光軸方向に上記カム環９と一体的に進退する。そして、上記第２のレンズ保持枠１は、上記直進ガイド枠１０に直進ガイドされて光軸方向に進退駆動される。  
このようにして上記第２のレンズ保持枠１は、上記回転枠１２及びカム環９の回転駆動に伴って光軸方向に進退駆動し、これにより変倍動作が行われる。
【００２７】
一方、上記ズームレンズ鏡筒における合焦動作は、上記シャッタ保持部材６に固定されているフォーカス駆動用モータ（図示せず）を回転駆動させることにより行われる。上記フォーカス駆動用モータ（図示せず）が回転駆動すると、その回転駆動力は、フォーカス駆動力伝達部（図示せず）を介して第２レンズ群フォーカス枠２に伝達され、この第２レンズ群フォーカス枠２が上記シャッタ吊軸３にガイドされて上記第２のレンズ保持枠１に対して相対的に光軸方向に摺動し、これにより合焦動作が行われる。
【００２８】
上述したように、上記ズームレンズ鏡筒においては、上記回転枠１２が回転すると第２のレンズ保持枠１は、固定枠１１のカム及びカム環９の外周カムによって、また第１のレンズ保持枠７は固定枠１１のカム及びカム環９の内周カムによって、それぞれ光軸方向に進退駆動され、これにより所定の変倍動作がなされることとなる。そして、各カム形状の設定によって、所望の焦点距離調整を行うことができる。
【００２９】
他方、カメラの保管時、携帯時等の非撮影時（不使用時）には、上述の最大広角状態（図１、図４参照）から、さらに上記第１のズームレンズ群と第２のズームレンズ群の間隔及び第１のズームレンズ群とカメラ本体内のフイルム面Ｐとの間隔を縮めて、本ズームレンズ鏡筒の全長を短くし、この短くした状態のズームレンズ鏡筒をカメラ本体内に収納する沈胴動作を行って、図３に示す沈胴状態とする。これによって、非撮影状態にあるカメラをさらに小型化することが一般的に行われている。
【００３０】
本実施形態においては、カメラ本体に対して固定枠１１を直進ガイドすると共に、レンズ駆動用モータ（図示せず）によって沈胴動作駆動伝達部（図示せず）を介してリードネジ等の駆動手段（図示せず）を駆動して、固定枠１１を光軸方向に移動させるようにしている。これによって、第１、第２のズームレンズ群を共に最大広角状態よりもフイルム面Ｐ側に移動させている。
【００３１】
この場合において、カメラ本体側には、ズームレンズ鏡筒側に光軸方向に沿って突出した軸状のストップ部材である沈胴ストッパ１９（図３参照）が設けられていて、上記固定枠１１が所定量だけフイルム面Ｐに向けて後退すると、フイルム面Ｐに対する絞り部材１３（詳細は後述する）の位置を決めるストップ部材である上記沈胴ストッパ１９（図３参照）が、ズームレンズ鏡筒の最後端部の上記絞り部材１３に当接し、同絞り部材１３を介して第１のレンズ保持枠７の位置決めが行われるようになっている。この状態からさらに上記固定枠１１が後退すると、上記第２のズームレンズ群のみが後退するようになっており、第１のズームレンズ群と第２のズームレンズ群の間隔は、レンズ付勢バネ１７に抗して縮められるようになっている。
【００３２】
なお、沈胴動作が行われる際には、第１のレンズ保持枠７がカム環９に対して相対的に移動されるように、第１のレンズ保持枠７のカムフォロワ部７ａと係合するカム環９の内周カム９ｄには、逃げ部が設けられている。
【００３３】
また、図３の沈胴状態から図１、図４の最大広角状態に変位する場合、即ちカメラの非撮影状態から撮影状態に移行する場合には、固定枠１１が駆動モータによってレンズ繰出方向に駆動されると、第１のズームレンズ群と第２のズームレンズ群の間隔は、レンズ付勢バネ１７の付勢力によって、上記カム環９のカムにより規定される所定の位置まで広げられる。
【００３４】
なお、沈胴動作に伴って、カメラ本体に対して固定枠１１が光軸方向に進退駆動されることとなるが、固定枠１１とカメラ本体との間には、伸縮自在に設けられた、例えば蛇腹形状の遮光部材２０が設けられており、これにより不要光を遮光している。
【００３５】
このように構成されたズームレンズ鏡筒における上記第１のレンズ保持枠７の後方には、絞り部材１３が配置されている。この絞り部材１３について、図５によって以下に説明する（なお、図１も参照）。  
図５は、上記ズームレンズ鏡筒における絞り部材１３及び第１のレンズ保持枠７を取り出して示す要部分解斜視図である。
【００３６】
上記絞り部材１３は、被写体からズームレンズ鏡筒を通過してカメラ本体内のフイルム面に照射される被写体光の内、フイルム面Ｐ上に露光して被写体像を形成するために必要な光以外の不要光を遮断して、鏡筒内部に発生する内面反射を低減させてフレア、ゴースト等の有害光線の発生を防止するために設けられた、いわゆるフレア絞りである。この絞り部材１３の略中央部には、被写体像を形成するために必要な被写体光を通過させると共に不要光を遮断するために、所定の画面枠からなる絞り開口部１３ｂが穿設されている。そして、上記絞り部材１３の絞り開口部１３ｂがズームレンズ鏡筒の光軸と直交するように開口中心の調整が施された後、上記絞り部材１３が絞り吊軸１４に一体的に接着されている。
【００３７】
即ち、上記絞り部材１３には、絞り吊軸１４が光軸方向にズームレンズ鏡筒の前面側（被写体側）に向けて延び出すように、その一端部が接着剤等によって一体的に接着されている。また、この絞り吊軸１４の他端部側は、絞り支持手段でもある上記シャッタ保持部材６の孔部６ｃを摺動自在に貫通し、同吊軸１４の他端部にストッパ部材１６が固定されており、同ストッパ部材１６は、上記吊軸１４のシャッタ保持部材６に対する位置決め部材の役目をしている。このような構成によって、上記絞り部材１３は、シャッタ保持部材６を介して上記第２のレンズ保持枠１と連動して光軸方向に進退するようになっている。
【００３８】
また、上記絞り部材１３とシャッタ保持部材６の間には、上記絞り吊軸１４の外周に伸長性のコイルバネ等からなる付勢手段としての絞りバネ１５が巻回されていて、上記絞り部材１３とシャッタ保持部材６との間隔を所定間隔となるように保持している。つまり、カメラが撮影状態にありズーミング動作が行われるとき、即ち上記第１、第２のズームレンズ群が最大広角状態（図１、図４）から最大望遠状態（図２）の間を変位する場合において、上記絞り部材１３の光軸方向における位置は、上記シャッタ保持部材６（第２のレンズ保持枠１）に対して所定の位置となるように、上記絞りバネ１５によって位置決めされている。このように、この絞りバネ１５は、第２のレンズ保持枠１に対して絞り部材１３の光軸方向の位置を決定する決定手段の役目をしている。
【００３９】
一方、カメラが非撮影状態となり上記ズームレンズ鏡筒がカメラ本体内に収納される沈胴動作が行なわれる場合には、上記絞り部材１３は、上述したように上記沈胴ストッパ１９（図３参照）によって最後端側の位置が規定されるが、上記シャッタ保持部材６（第２のレンズ保持枠１）は、上記絞りバネ１５の付勢力に抗してさらに光軸方向に沿って沈胴方向に移動するようになっているので、上記シャッタ保持部材６と絞り部材１３の間隔はさらに縮まるようになっている（図３参照）。
【００４０】
なお、上記絞り部材１３には、図５に示すように上記絞り吊軸１４と並行にかつ同方向に向けて回転規制部材である絞り回転規制アーム１３ａが一体的に設けられている。この回転規制アーム１３ａが、第１のレンズ保持枠７の外周面上に設けられた絞り回転規制溝７ｃに係合することによって、上記絞り部材１３が回転しないように回転規制がなされている。
【００４１】
また、上記第１のレンズ保持枠７には、第１のレンズ保持枠回転規制軸８ｂの一端部が固着されており、光軸方向に沿って延び出した他端部が上記第２のレンズ保持枠１の支持部１ｃの内面側の固定部材（図示せず）に嵌合している。これにより、上記回転規制軸８ｂが上記第１のレンズ保持枠７を回転規制している。
【００４２】
ところで、上記絞り部材１３の絞り開口部１３ｂをズームレンズ鏡筒の光軸に対して直交する位置に配置するためには、例えば予め絞り部材１３に対する所定位置に絞り吊軸１４を固着しておいて、同吊軸１４に上記絞り部材１３を接着して組み立てる等の手段が考えられる。
【００４３】
一般に、上記絞り部材１３の絞り開口部１３ｂを形成する画面枠の開口面積（大きさ）と、撮影レンズの前面側から入射してフイルム面に到達する有効光線の照射範囲は、上記第１のズームレンズ群の相対芯精度によって決定されるものである。つまり、上記第１のズームレンズ群の配設位置が所定位置からずれた場合には、これに伴って上記有効光線の照射範囲も変わってしまうこととなる。
【００４４】
なお、上記有効光線については、図１において符号Ｓ１，Ｓ２で示し、符号Ｓ１は、上記ズームレンズ鏡筒の撮影光学系を通過する光線の内、フイルム面に形成される撮像画面の対角線方向の最も外側に照射され得る有効光線（点線で示す線）を示しており、また符号Ｓ２は、実際にフイルム面に到達する光線の内の縦方向の最も外側に照射される有効光線（実線で示す線）を概念的に示している。
【００４５】
ところが、上記第１のズームレンズ群の相対芯精度は、上記シャッタ保持部材６に対する絞り開口部１３ｂの位置ずれ誤差及び上記シャッタ保持部材６に対する第１のレンズ保持枠７の位置ずれ誤差の合計によって決定されるものであるので、上記第１のズームレンズ群の相対芯精度を高精度に維持して製造を行うことは容易ではない。
【００４６】
そこで、本実施形態においては、上記絞り開口部１３ｂと上記第１のズームレンズ群の相対芯精度を向上させるために、上記第１のレンズ保持枠７に対して直接絞り部材１３の位置調整を行うようにしている。ここで、上記絞り部材１３と上記第１のレンズ保持枠７の位置調整の手段について、以下に図６を参照して説明する。
【００４７】
図６は、本実施形態のズームレンズ鏡筒において、上記絞り部材１３及び第１のレンズ保持枠７のみを取り出して示す要部拡大縦断面図であって、絞り部材１３と第１のレンズ保持枠７の位置調整を行う手段を説明するための図である。
【００４８】
ここでは、図６に示すように上記シャッタ保持部材６に対して第１のレンズ保持枠７を光軸方向に摺動自在に支持した状態で、上記絞り部材１３の位置調整を行うようにしている。
【００４９】
まず、上記シャッタ保持部材６に対する第１のレンズ保持枠７の位置は、固定部材（図示せず）により固定された第１レンズ群位置調整治具３１によって所定位置に固定する。ここで、上記レンズ群位置調整治具３１による所定位置としては、本ズームレンズ鏡筒を最大広角状態とした場合の上記シャッタ保持部材６に対する上記第１のレンズ保持枠７の相対位置に対して、後述するスペーサ治具３２の光軸方向の長さＬ１だけ補正を加えた位置としている。
【００５０】
一方、上記絞り部材１３には、絞り吊軸１４が仮固着された状態で、同絞り吊軸１４に絞りバネ１５を巻回し、同吊軸１４の他端部をシャッタ保持部材６の孔部６ｃに貫通させ、先端にストッパ部材１６を固着した状態とする。この状態、つまり上記絞り吊軸１４の一端部が上記シャッタ保持部材６に支持された状態において、上記ストッパ部材１６に軸付勢治具３３を当接させる。
【００５１】
なお、上記軸付勢治具３３は、軸部３３ａによって固定部材（図示せず）に回動自在に軸支されており、同軸付勢治具３３の一腕部には、同軸付勢治具３３を図６において軸部３３ａを中心として時計方向に回動させ得る緊縮性の付勢部材３３ｂの一端が係止されている。そして、この付勢部材３３ｂの他端は、固定部３４に係止されている。つまり、上記付勢手段３３ｂは、上記軸付勢治具３３と固定部３４との間に張架されることにより、同治具３３に当接された上記ストッパ部材１６を介して上記絞り吊軸１４を光軸に沿う方向であってフイルム面Ｐ側に向けて付勢している。
【００５２】
そして、ここで行われる位置調整作業中においては、上記絞りバネ１５の一端部がバネ保持治具３５により係止され、同バネ１５の付勢力の作用が絞り部材１３に影響を及ぼさないように上記バネ１５を保持している。なお、位置調整時におけるシャッタ保持部材６の位置決めは、上記第１レンズ群位置調整治具３１を支持する固定部材（図示せず）によりなされている。
【００５３】
次に、上記絞り部材１３と上記第１のレンズ保持枠７との間には、絞り部材１３の内径部分に対して嵌合する円環形状のスペーサ治具３２を介挿し、これにより上記絞り部材１３の絞り開口部１３ｂの上記第１のレンズ保持枠７に対する開口中心の調整を行う。そして、この状態を保持しながら、上記絞り吊軸１４を絞り部材１３の所定の位置に接着剤等によって固着させる。
【００５４】
なお、上記絞り部材１３に設けられ、上記絞り吊軸１４を挿入して固着させるための挿入孔は、同挿入孔に絞り吊軸１４が挿入されたときに多少の調整余裕が生じるように、絞り吊軸１４の軸径より余裕量δ分だけ大径に穿設されている。この余裕量δが上記絞り吊軸１４と上記第１のレンズ保持枠７の位置ずれ誤差を吸収し、よって上記第１のレンズ保持枠７と上記絞り部材１３との相対位置の調整を行うことできる。
【００５５】
そして、上記絞り部材１３と上記絞り吊軸１４を接着固定した後、上記各治具（３１，３２，３３，３５）を取り外す。これにより上記シャッタ保持部材６に対して絞り吊軸１４により軸支持される上記絞り部材１３の絞り開口部１３ｂの開口中心は、上記第１のレンズ保持枠７に対して高精度に調整され、よって上記絞り開口部１３ｂが光軸に対して直交する位置に位置決めされることとなる。
【００５６】
以上説明した位置調整を行う手段によれば、各部材の製作上、組立上の誤差等を考慮せずに、上記第１のレンズ保持枠７（第１のズームレンズ群）と上記絞り部材１３の相対位置の調整を行うことができるという利点がある。
【００５７】
つまり、ズームレンズ鏡筒内において、上記絞り部材１３の絞り開口部１３ｂの中心位置の調整と共に、同第１のズームレンズ群に対する上記絞り部材１３の光軸方向における位置をも高精度に位置決めすることができる。即ち、位置調整時においてシャッタ保持部材６に対する第１のレンズ保持枠７の位置を、組立て完了状態におけるカム環９のカムによって設定されるべき最大広角状態の位置関係と等価となるようにするレンズ群位置調整治具３１を利用することによって（なお、スペーサ治具３２による長さＬ１の補正は必要である。）、同ズームレンズ鏡筒における最大広角状態時の第１のズームレンズ群に対する絞り部材１３の光軸方向の位置決めを高精度に管理することができる。
【００５８】
なお、上述したように上記第１のズームレンズ群と上記絞り部材１３の位置調整を行う場合において、上記第１のレンズ保持枠７と絞り部材１３との間にスペーサ治具３２を介挿することで、光軸方向の長さＬ１だけ離して上記絞り部材１３の位置決めを行っている。これは、ズームレンズ鏡筒を組み立てた後、これを作動させてズーミング動作を行い、同レンズ鏡筒を最大広角状態としたときに、上記第１のズームレンズ群の最後端レンズと上記絞り部材１３との干渉を防止するために設けられた余裕分（長さＬ１）である。
【００５９】
また、上述の第１の実施形態においては、上記第１のレンズ保持枠７に対して絞り部材１３の位置調整を行うようにしているが、これに限らず、例えば上記第１のズームレンズ群の最後端側のレンズ外径に対して位置出しを行うようにしても同様の効果を得ることができる。
【００６０】
また、上記第１のズームレンズ群が複数のレンズによって構成されている場合には、上記第１のズームレンズ群の最後端部からフイルム面の間の有効光線の照射位置に最も影響を与えるレンズに対して上記絞り部材１３の絞り開口部１３ｂの開口中心の位置精度を確保するように位置調整を行うことが望ましい。
【００６１】
通常の場合において、ズームレンズ鏡筒が最大広角状態にあるときに、上記絞り部材１３は第１のレンズ保持枠７の後方のフイルム面寄りに配置され、この場合において有効光線を遮断しないように絞り開口部１３ｂの形状が決められる。上記第１の実施形態のズームレンズ鏡筒によれば、有効光線の照射位置に対する影響が大である第１のズームレンズ群の位置に対して、上記絞り部材１３の光軸と直交する方向の位置及び光軸方向の位置を、共に高精度に位置決めするようにしたので、上記絞り開口部１３ｂは有効光線の設計値に対して必要最小限の余裕を見込むだけで良く、よって、絞り開口部１３ｂの画面枠のサイズを最小限に抑えることができる。これによって、上記絞り部材１３の外径も最小限に抑えることが可能となる。
【００６２】
また、最大望遠状態においては、上記絞り部材１３がカム環９の内周に入り込む必要があるので、絞り部材１３の小型化は鏡筒全体の小型化に寄与することとなる。そこで、本実施例によれば、最大望遠状態とされる際に、上記絞り部材１３がズーミング動作に連動してフイルム面寄りの位置から被写体側に向けて繰り出されるように構成したので、フイルム面近傍における有効光線高が広角時に比べて高くなる望遠状態であっても上記絞り開口部１３ｂが有効光線を遮断することがない。  
さらに、最大望遠状態において第１、第２のズームレンズ群の間隔の変位に連動して、上記絞り部材１３は上記第１のレンズ保持枠７に対して後方側（フイルム面側）に離れた位置に配置されるようにしたので、第１のズームレンズ群の最後端面による有効光線高が広角時より低くなる望遠状態であっても、不要光を遮断するフレア絞りとしての充分な絞り効果を得ることができる。
【００６３】
また、沈胴動作時においては、上記絞り部材１３は沈胴ストッパ１９によって位置決めされ、第２のレンズ保持枠１に対する光軸方向の相対位置を変位させることができるので、沈胴状態においては、レンズ鏡筒の長さ寸法をさらに短くすることができ、よって鏡筒自体の小型化に寄与することができる。
【００６４】
なお、上述の第１の実施形態においては、ズームレンズ鏡筒のズーミング可能領域内、つまり最大広角状態から最大望遠状態までのズーム作動範囲内では、第２のレンズ保持枠１（シャッタ保持部材６）に対する絞り部材１３の光軸方向における位置を常に一定に保持するように構成したが、これに限らず、例えば第２のレンズ保持枠１に対する絞り部材１３の光軸方向における位置を任意に変更し得るようすることもできる。
【００６５】
即ち、上記絞り部材１３に一体的に設けたカムフォロア部と、カム環９の内周面に設けられ、上記絞り部材１３の光軸方向の位置決めを行うカム溝とを互いに係合させることによって、絞り部材１３を光軸方向に移動させ得るように構成すれば、上記カム形状を変更することによって、各焦点距離にそれぞれ対応させた絞り部材１３の光軸方向の所定位置を任意に設定することができる。  
このように構成した場合においては、ズーミング動作に伴って上記絞り部材１３の光軸方向における所定位置を最適化することが容易にできるので、ズームレンズ鏡筒内部における絞り部材１３及びこれに設けられる絞り開口部１３ｂの画面枠サイズを可能な限り小型化することができる。したがって、最大限の絞り効果、つまり不要光を遮光することによる有害光線等の低減化に寄与することができる。
【００６６】
ところで、上述したように上記第１の実施形態におけるズームレンズ鏡筒において、上記第２のレンズ保持枠１に一体的に固着されるシャッタ保持部材６には、フォーカス駆動用モータ（図示せず）やシャッタ制御用センサ（図示せず）等の構成部材が装着されている。これらの各構成部材に電源等を供給し、制御信号等を伝達するために、カメラ本体側の回路基板等との間には電気的な接続を確保する必要がある。そこで、上記ズームレンズ鏡筒とカメラ本体との間を電気的に接続する手段として、例えばフレキシブルプリント基板（以下、ＦＰＣという）等の接続部材を設ける必要がある。
【００６７】
図７、図８は、本発明の第２の実施形態を示すズームレンズ鏡筒の縦断面図であって、同ズームレンズ鏡筒のシャッタ保持部材とカメラ本体との電気的接続を行うフレキシブルプリント基板の配線状態を示す図である。なお、図７は最大広角状態にある場合を、図８は最大望遠状態にある場合をそれぞれ示しており、図７と図８は互いに異なる角度の断面で示されている。また、ズームレンズ鏡筒自体の構成は、上述の第１の実施形態と略同様である（図１、図３参照）が、本実施形態においては、絞り部材１３Ｂの形状が若干異なる。
【００６８】
本実施形態における接続部材であるＦＰＣ２１は、一端寄りの所定部をシャッタ保持部材６の所定位置２１ａに固定されていると共に、上記ＦＰＣ２１の中程は、カム環９の最後端部の内周面側の所定位置２１ｂと、固定枠１１の最後端部の内周面の所定位置２１ｃとに、それぞれ固定されている。そして、上記固定枠１１の後端部を経て上記遮光部材２０の取付部近傍から外部に延出し、カメラ本体側の回路基板等に接続されるようになっている。
【００６９】
このようにＦＰＣ２１を配設すれば、図８に示すようにズームレンズ鏡筒が最大望遠状態となり、最も長く延出された状態においても、上記ＦＰＣ２１は余裕を有するように、その長さが設定される。そして、図７に示す最大広角状態においては、各鏡枠間に折り畳まれるように配設される。
【００７０】
つまり、上記ＦＰＣ２１の弾性変形を利用することによって、ズームレンズ鏡筒の変倍動作に伴ってカメラ本体に対し光軸方向に進退駆動される上記第２のレンズ保持枠１の伸縮動作を吸収し、ズームレンズ鏡筒とカメラ本体との間の電気的接続を確実に保持している。
【００７１】
なお、この場合において、第１のズームレンズ群の最後端レンズの後方に配置され、カム環９の内部に収納される絞り部材１３Ｂと、カム環９の内部に設けられるシャッタ保持部材６からカメラ本体までの間を接続するＦＰＣ２１が干渉することが考えられ、これにより円滑なズーミング動作を確保し得ないという虞がある。
【００７２】
このような状況を避けるためには、例えばズームレンズ鏡筒の変倍動作に伴ってなされるＦＰＣ２１の弾性変形による軌跡に対応する所定空間を鏡筒内に確保しておく等の措置が考えられるが、この場合には鏡筒自体を大型化してしまうこととなる。
【００７３】
そこで、本実施形態の絞り部材１３Ｂでは、図９の斜視図に示すように変倍動作に伴ってなされるＦＰＣ２１の弾性変形による軌跡に対応してＦＰＣ２１との干渉を防止するための切欠部１３Ｂｃが設けられている。
【００７４】
この切欠部１３Ｂｃを設けることによって本実施形態によれば、絞り部材１３Ｂ及びこれを収納する空間を大型化することなく、またＦＰＣ２１が絞り部材１３Ｂに干渉することなく、円滑なズーミング動作を行わしめることができる。
【００７５】
また、上記絞り部材１３Ｂに切欠部１３Ｂｃを配設した場合、この切欠部１３Ｂｃを透過した不要光によってフレア、ゴースト等の有害光線の発生が増加し、不要光の遮光レベルが悪化する虞も考えられる。
【００７６】
そこで、次に示すような救済手段が考えられる。即ち、図１０は上記第２の実施形態の変形例を示し、ズームレンズ鏡筒における絞り部材のみを取り出して示す概略斜視図である。
【００７７】
本変形例の絞り部材１３Ｂの切欠部１３Ｂｃには、弾性を有するシート状の素材からなる遮光シート２２がさらに設けられており、同遮光シート２２が上記切欠部１３Ｂｃから漏出する有害光を遮光している。なお遮光シート２２は、図１０にも示すように複数のスリットを有している。
【００７８】
これにより、上記ＦＰＣ２１がズームレンズ鏡筒の変倍動作に連動して弾性変形し、絞り部材１３Ｂの切欠部１３Ｂｃに逃げると、同ＦＰＣ２１は遮光シート２２に当たる。このとき、同遮光シート２２は弾性変形して退避するので、上記ＦＰＣ２１の変形を妨げることはない。上記遮光シート２２は、わずかな力量によって変形するようになっているので、ＦＰＣ２１と遮光シート２２の接触によってズーミング動作を妨げ得るような負荷が生じることもない。
【００７９】
したがって、本変形例によれば上述の第２の実施形態と全く同様に、絞り部材１３Ｂ及び鏡筒自体を大型化することなく、絞り部材１３ＢとＦＰＣ２１との干渉を避けて、円滑なズーミング動作を行わしめることができると共に、上記遮光シート２２によって切欠部１３Ｂｃを遮光することにより、同切欠部１３Ｂｃから漏出する不要光を低減させ、充分な絞り効果を得ることが可能となる。
【図面の簡単な説明】
【００８０】
【図１】本発明の第１の実施形態を示すズームレンズ鏡筒の、可動レンズ群を最も短焦点（広角：ｗｉｄｅ）側に移動させた最大広角状態を示す縦断面図。
【図２】図１のズームレンズ鏡筒の、可動レンズ群を最も長焦点（望遠：ｔｅｌｅ）側に移動させた最大望遠状態を示す縦断面図。
【図３】図１のズームレンズ鏡筒の、同ズームレンズ鏡筒がカメラ本体内に収納される際の沈胴状態を示す縦断面図。
【図４】図１のズームレンズ鏡筒の、最大広角状態を示す縦断面図。
【図５】図１のズームレンズ鏡筒における絞り部材及び第１のレンズ保持枠のみを取り出して示す要部分解斜視図。
【図６】図１のズームレンズ鏡筒において、絞り部材及び第１のレンズ保持枠のみを取り出して示す要部拡大縦断面図であって、絞り部材の位置調整を行う方法を説明するための図。
【図７】本発明の第２の実施形態を示すズームレンズ鏡筒の最大広角状態における縦断面図であって、シャッタ保持部材とカメラ本体とを接続するフレキシブルプリント基板の配線状態を示す図。
【図８】本発明の第２の実施形態を示すズームレンズ鏡筒の最大望遠状態における縦断面図であって、シャッタ保持部材とカメラ本体とを接続するフレキシブルプリント基板の配線状態を示す図。
【図９】図９のズームレンズ鏡筒における絞り部材のみを取り出して示す概略斜視図。
【図１０】本発明の第２の実施形態の変形例を示し、ズームレンズ鏡筒における絞り部材のみを取り出して示す概略斜視図。
【符号の説明】
【００８１】
１……第２のレンズ保持枠（レンズ群保持手段）
２……第２レンズ群フォーカス枠
６……シャッタ保持部材（絞り支持手段、支持手段）
７……第１のレンズ保持枠
９……カム環
１０……直進ガイド枠
１１……固定枠
１２……回転枠
１３，１３Ｂ……絞り部材（移動部材）
１３Ｂｃ……切欠部
１４……絞り吊軸
１５……絞りバネ（決定手段）
１６……ストッパ部材
１９……沈胴ストッパ（ストップ部材）
２０……遮光部材
２１……フレキシブルプリント基板（ＦＰＣ）
２２……遮光シート
３１……第１レンズ群位置調整治具
３２……スペーサ治具
３３……軸付勢治具
代理人    弁理士    伊藤  進
【図１】
2005004227.tif 000003
【図２】
2005004227.tif 000004
【図３】
2005004227.tif 000005
【図４】
2005004227.tif 000006
【図５】
2005004227.tif 000007
【図６】
2005004227.tif 000008
【図７】
2005004227.tif 000009
【図８】
2005004227.tif 000010
【図９】
2005004227.tif 000011
【図１０】
2005004227.tif 000012